(57)【要約】 【課題】  信号伝送にロングケーブルを使用することで、信号がケーブルロスにより減衰するときでも、誤作動が起きない設定を、受信機側で容易に行うことが可能な電源電圧調整装置および受信装置を提供する。【解決手段】  供給される電圧に応じて、信号を受信するときの閾値が変化し、閾値に基づいて２値化した信号を出力する受信装置に電圧を与える電源電圧調整装置は、信号伝送線路に接続される検出手段が伝送される信号のピーク電圧を検出した後に、保持手段がピーク電圧を保持し、保持されたピーク電圧に応じて電圧を調整して、受信装置に電圧を出力する。【選択図】      図１
2008263555.tif 000002
【特許請求の範囲】
【請求項１】
電源電圧に応じて、信号を判断する閾値が変化し、送信装置から与えられる信号を受信して、前記閾値に基づいて２値化した信号を出力する受信装置に電圧を与える電源電圧調整装置であって、
信号伝送線路に接続され、前記信号伝送線路に伝送される信号のピーク電圧を検出する検出手段と、
前記検出手段にて検出したピーク電圧を保持する保持手段と、
前記保持手段に保持されたピーク電圧に応じて、電源電圧を調整する電圧調整手段と、
を備えることを特徴とする電源電圧調整装置。
【請求項２】
前記信号は、前記信号伝送路を伝送される信号のうちのクロック信号であることを特徴とする請求項１に記載の電源電圧調整装置。
【請求項３】
電源電圧に応じて、信号を判断する閾値が変化し、送信装置から与えられる信号を受信して、前記閾値に基づいて２値化した信号を出力する受信手段と、
信号伝送線路に接続され、前記信号伝送線路に伝送される信号のピーク電圧を検出する検出手段と、
前記検出手段にて検出したピーク電圧を保持する保持手段と、
前記保持手段に保持されたピーク電圧に応じて、電源電圧を調整して前記受信手段に与える電圧調整手段と、
を備えることを特徴とする受信装置。
【請求項４】
電源電圧に応じて信号を処理する閾値が変化し、かつ受信手段が出力する信号の処理を行う信号処理手段に、前記電圧調整手段が前記調整した電圧を与えることを特徴とする請求項３に記載の受信装置。
【請求項５】
前記信号は、前記信号伝送路を伝送される信号のうちのクロック信号であることを特徴とする請求項３または４に記載の受信装置。
【発明の詳細な説明】
【技術分野】
【０００１】
本発明は、信号の受信装置に供給される電圧を調整する電源電圧調整装置および受信装置に関する。
【背景技術】
【０００２】
従来、ＤＤＣ(Display Data Channel)制御信号は、ＶＥＳＡ（Video Electronics 
Standards Association）規格に従って、通常５Ｖの信号で送信装置側から出力され、受信装置側でも５Ｖの信号が来ることを前提に設計されている。
【０００３】
しかし、デジタル信号伝送にロングケーブル等を使用した場合、制御信号がケーブルロスにより減衰し、受信装置側に到達したときには、ハイレベル信号の電圧が確保されないために誤った判断がなされ、ＤＤＣ制御ができないときがある。
【０００４】
受信装置は、受信信号の電圧が予め定める閾値以上の電圧である場合にハイレベル信号であると認識するので、伝送途中で減衰しているとハイレベル信号であると認識できずに誤作動を起こすことがある。
【０００５】
減衰した信号を正常に受信することを目的として第１の従来技術がある。第１の従来技術のデジタル伝送信号の受信回路においては、微分回路によって入力信号のピークとなるタイミングを検出し、その信号レベルをサンプルホールド回路に保持する。その保持した信号レベルから閾値を設定することによって、入力信号のパターンに制限を加えることなく、適正な閾値を設定し、減衰した信号を受信可能としている（たとえば、特許文献１参照）。
【０００６】
【特許文献１】特開平５−１２２２５５号公報
【発明の開示】
【発明が解決しようとする課題】
【０００７】
しかし、第１の従来技術は、信号ごとに減衰した信号のピークレベルを保持し、そのレベルに応じて閾値を設定する必要がある。特に、信号伝送にロングケーブルを使用すると、ケーブルのインダクタンスおよび静電容量によって、伝送信号の減衰が大きくなるため、信号ごとに閾値を設定することは煩雑となる。
【０００８】
本発明の目的は、信号伝送にロングケーブルを使用することで、信号がケーブルロスにより減衰するときでも、受信機側で誤作動が起きない設定を、受信機側で容易に行うことが可能な電源電圧調整装置および受信装置を提供する。
【課題を解決するための手段】
【０００９】
本発明は、電源電圧に応じて、信号を判断する閾値が変化し、送信装置から与えられる信号を受信して、前記閾値に基づいて２値化した信号を出力する受信装置に電圧を与える電源電圧調整装置であって、
信号伝送線路に接続され、前記信号伝送線路に伝送される信号のピーク電圧を検出する検出手段と、
前記検出手段にて検出したピーク電圧を保持する保持手段と、
前記保持手段に保持されたピーク電圧に応じて、電源電圧を調整する電圧調整手段と、
を備えることを特徴とする電源電圧調整装置である。
【００１０】
また本発明は、前記信号は、前記信号伝送路を伝送される信号のうちのクロック信号であることを特徴とする。
【００１１】
また本発明は、電源電圧に応じて、信号を判断する閾値が変化し、送信装置から与えられる信号を受信して、前記閾値に基づいて２値化した信号を出力する受信手段と、
信号伝送線路に接続され、前記信号伝送線路に伝送される信号のピーク電圧を検出する検出手段と、
前記検出手段にて検出したピーク電圧を保持する保持手段と、
前記保持手段に保持されたピーク電圧に応じて、電源電圧を調整して前記受信手段に与える電圧調整手段と、
を備えることを特徴とする受信装置である。
【００１２】
また本発明は、電源電圧に応じて信号を処理する閾値が変化し、かつ受信手段が出力する信号の処理を行う信号処理手段に、前記電圧調整手段が前記調整した電圧を与えることを特徴とする。
【００１３】
また本発明は、前記信号は、前記信号伝送路を伝送される信号のうちのクロック信号であることを特徴とする。
【発明の効果】
【００１４】
本発明によれば、電源電圧に応じて、信号を判断する閾値が変化し、閾値に基づいて２値化した信号を出力する受信装置に電圧を与える電源電圧調整装置は、信号伝送線路に接続される検出手段が伝送される信号のピーク電圧を検出した後に、保持手段が検出手段にて検出したピーク電圧を保持し、保持されたピーク電圧に応じて電源電圧を調整して、受信装置に出力する。したがって、電源電圧に応じて受信信号の閾値が設定される受信装置においては、電源電圧調整装置によって調整された電源電圧を供給されることによって、伝送される信号の電圧レベルが減衰しても、ハイレベル信号を誤ることなく認識ができるように適切に閾値を設定することができ、誤作動が起きなくなる。また、受信信号の閾値を直接変更するのではなく、電源電圧を変更することによって間接的に閾値を変更するため、誤作動が起きない設定を容易に行うことができる。特に、信号伝送にロングケーブルを使用することによって、制御信号が減衰した場合でも、受信機側で誤作動が起きないように識別することができ、信号伝送の長距離化に対応することが可能となる。
【００１５】
また本発明によれば、電源電圧調整装置の検出手段は、信号伝送路を伝送される信号のうち、周波数が高いために、減衰量が一番多いクロック信号のピーク部分の検出を行い、その検出結果に基づき、電圧調整手段が電源から与えられる電圧を調整して出力するので、供給される電圧に応じて受信信号の閾値が設定される受信装置においては、伝送される信号の電圧レベルが減衰しても、受信信号の閾値をより適切に設定することができ、ハイレベル信号を誤ることなく認識することができる。
【００１６】
また本発明によれば、信号伝送線路に接続される受信装置の検出手段は、伝送される信号のピーク電圧を検出し、保持手段は、検出手段にて検出したピーク電圧を保持し、電圧調整手段は保持されたピーク電圧に応じて、電源電圧を調整して受信手段に与える。電源電圧に応じて、信号を判断する閾値が変化する受信手段は、送信装置から与えられる信号を受信して、閾値に基づいて２値化した信号を出力する。したがって、伝送される信号の電圧レベルが減衰しても、受信手段が、電圧調整手段によって調整された電圧を供給されることによって、ハイレベル信号を誤ることなく認識ができるように適切に閾値を設定することができ、誤作動が起きなくなる。また、受信信号の閾値を直接変更するのではなく、電源電圧を変更することによって間接的に閾値を変更するため、誤作動が起きない設定を容易に行うことができる。特に、信号伝送にロングケーブルを使用することによって、制御信号が減衰した場合でも、受信機側で誤作動が起きないように識別することができ、信号伝送の長距離化に対応することが可能となる。さらに、受信手段において信号線ごとに閾値を調整する必要がなく、調整作業が煩雑にならない。
【００１７】
また本発明によれば、受信装置の電圧調整手段は、電源電圧を減衰した信号に対応して調整して信号処理手段に与え、信号処理手段では、電源電圧に応じて信号を処理するときの閾値が変化するので、信号の電圧レベルが伝送途中で減衰していても、信号処理手段は、ハイレベル信号を誤ることなく認識ができるように適切に閾値を設定することができ、誤作動が起きなくなる。また、信号処理手段において受信信号の閾値を直接変更するのではなく、電源電圧を変更することによって間接的に閾値を変更するため、誤作動が起きない設定を容易に行うことができる。さらに、各信号処理手段において信号線ごとに閾値を調整する必要がなく、調整作業が煩雑にならない。
【００１８】
また本発明によれば、受信装置の検出手段は、信号伝送路を伝送される信号のうち、周波数が高いために、減衰量が一番多いクロック信号のピーク部分の検出を行い、その検出結果に基づき、電圧調整手段が電源から与えられる電圧を調整して出力するので、供給される電圧に応じて受信信号の閾値が設定される受信手段または信号処理手段においては、伝送される信号の電圧レベルが減衰しても、受信信号の閾値をより適切に設定することができ、ハイレベル信号を誤ることなく認識することができる。
【発明を実施するための最良の形態】
【００１９】
図１は、本発明の実施の一形態の受信装置を含むディスプレイ装置３０の電気的構成の一部を示すブロック図である。
【００２０】
ディスプレイ装置３０は、入力インタフェース８、電源電圧調整装置４０、プルアップ抵抗５、ＳＣＬ（Serial Clock Line）６、ＳＤＬ（Serial Data Line）７、受信手段であるＤＤＣデバイス２を含む。
【００２１】
ディスプレイ装置３０は、画像出力が可能な出力インタフェース９を持つ送信装置であるホスト装置１０から映像信号と電力を供給されて動作する。すなわち、ホスト装置１０とディスプレイ装置３０と間でデータの送受信を実現する。
【００２２】
ホスト装置１０においては、クロック信号と８ビットのデータ信号が出力インタフェース９までパラレル伝送され、出力インタフェース９でデータ信号がパラレルシリアル変換された後、クロック信号およびデータ信号はケーブル１１を経由して、ディスプレイ装置３０の入力インタフェース８まで伝送される。
【００２３】
なお、ディスプレイ装置３０は、ホスト装置１０の電源回路２３からバス２４経由で電力の供給を受けるが、図１に示すようにディスプレイ装置３０が直接取入れてもよい。
【００２４】
電源電圧調整装置４０は、電圧調整手段である調整部１、検出手段である検出部３および保持手段である保持部４を備え、電源から出力された電圧を調整してＤＤＣデバイス２に供給する。検出部３は、クロック信号のピーク電圧を検出する。保持部４は、検出部３が検出したピーク電圧を保持する。電源と接続されている調整部１は、保持部４に保持されたピーク電圧に応じて、電源電圧を調整してＤＤＣデバイス２に出力する。
【００２５】
ダイオード２２は、逆流防止のために備えられている。ダイオード２２は、カソードが電源に接続され、アノードが調整部１に接続される。
【００２６】
図２は、電源電圧調整装置４０の具体的な回路構成の一例を示す図である。図２に示すように電源電圧調整装置４０は、検出部３および保持部４が抵抗１９およびコンデンサ２０によって構成され、調整部１はレギュレータ２１によって構成されている。抵抗１９の一端はＳＣＬ６に接続され、他端は、コンデンサ２０およびレギュレータ２１に接続されている。コンデンサ２０の一端は抵抗およびレギュレータ２１に接続され、他端は接地されている。
【００２７】
図１を参照して、ＤＤＣデバイス２は、前述のＶＥＳＡ規格に準拠しており、映像信号または制御信号などのデータ信号を受信する。ＤＤＣデバイス２は、ＣＭＯＳ（
Complementary Metal Oxide Semiconductor）を搭載している。本実施形態においては、ＤＤＣデバイス２は、ハイレベル閾値ＶＩＨは、ＶＩＨ＝０．７×電源電圧と設定されており、電源電圧に応じて、信号を受信するときの閾値が変化する。ＤＤＣデバイス２は、ホスト装置１０から送信される信号を受信して、閾値に基づいて２値化した信号を出力する。
【００２８】
ＳＣＬ６は、入力インタフェース８の予め定める端子とＤＤＣデバイス２のＳＣＬ接続端子とを電気的に接続し、ケーブル１１を経由して、入力インタフェース８まで伝送されたクロック信号のシリアル伝送を行う。
【００２９】
ＳＤＬ７は、入力インタフェース８の予め定める端子とＤＤＣデバイス２のＳＤＬ接続端子とを電気的に接続し、ケーブル１１を経由して、入力インタフェース８まで伝送されたデータ信号のシリアル伝送を行う。
【００３０】
プルアップ抵抗５は、ＳＣＬ６またはＳＤＬ７を経由してハイレベル信号をＤＤＣデバイス２に伝送させるために、ダイオード２２および調整部１の間とＳＣＬ６との間、ならびにダイオード２２および調整部１の間とＳＤＬ７との間各々に接続される抵抗である。
【００３１】
ＳＣＬ１２は、ＳＣＬ６と検出部３とを電気的に接続してクロック信号のシリアル伝送を行う。信号伝送にロングケーブルを使用すると、ケーブルのインダクタンスおよび静電容量によって、クロック信号およびデータ信号の減衰が大きくなる。一方、ホスト装置１０の電源回路２３から供給される電圧は、長距離伝送を行った場合であっても減衰量は、クロック信号およびデータ信号の減衰量と比較すると非常に小さいものであり、受信側のＤＤＣデバイス２ではその減衰量の差が、ハイレベル信号を誤らせ、誤作動をする要因となる。本実施形態では、電源電圧調整装置４０の検出部３は、信号伝送路を伝送される信号のうち、周波数が高いために、減衰量が一番多いクロック信号のピーク部分の検出を行うため、ＤＤＣデバイス２への伝送途中のＳＣＬ６から検出部３にＳＣＬ１２が接続される。
【００３２】
検出部３の検出結果に基づき、電源電圧調整装置４０が電源電圧を調整して出力するので、伝送される信号の電圧レベルが減衰しても、受信信号の閾値をより適切に設定することができ、ハイレベル信号を誤ることなく認識することができる。特に、信号伝送において、ケーブルが長くなるとクロック信号およびデータ信号の減衰が大きくなるため、本実施形態はケーブルが長ければ長いほど効果が得られる。
【００３３】
また、受信信号の閾値を直接変更するのではなく、電源電圧を変更することによって間接的に閾値を変更するため、誤作動が起きない設定を容易に行うことができる。さらに、ＤＤＣデバイス２において信号線ごとに閾値を調整する必要がなく、調整作業が煩雑にならない。
【００３４】
図３は、本発明の実施の他の形態の受信装置５０の電気的構成の一部を示すブロック図である。
【００３５】
受信デバイス１８および信号処理装置１３を備える本実施の形態の受信装置５０は、前述の図１のディスプレイ装置３０と類似しており、本実施の形態の構成には前述のディスプレイ装置３０における対応する構成と同一の参照符号を付し、異なる構成についてだけ説明し、同様の構成については説明を省略する。
【００３６】
受信デバイスは、データ信号を受信する。受信デバイス１８は、ＣＭＯＳを搭載している。本実施形態においては、受信デバイス１８は、ハイレベル閾値ＶＩＨは、ＶＩＨ＝０．７×電源電圧と設定されており、電源電圧に応じて、信号を受信するときの閾値が変化する。受信デバイス１８は、図示しない送信装置から送信される信号を受信して、閾値に基づいて２値化した信号を出力する。また、受信したクロック信号およびデータ信号をさらに信号処理装置１３へ送信する。
【００３７】
ＳＣＬ１４は、受信デバイス１８のＳＣＬ接続端子と信号処理装置１３のＳＣＬ接続端子とを電気的に接続し、受信デバイス１８から伝送されたクロック信号のシリアル伝送を行う。
【００３８】
ＳＤＬ１５は、受信デバイス１８のＳＤＬ接続端子と信号処理装置１３のＳＤＬ接続端子とを電気的に接続し、受信デバイス１８から伝送されたデータ信号のシリアル伝送を行う。
【００３９】
ＳＣＬ１６は、信号処理装置１３のＳＣＬ接続端子どうしを電気的に接続し、受信デバイス１８から伝送されたクロック信号のシリアル伝送を行う。
【００４０】
ＳＤＬ１７は、信号処理装置１３のＳＤＬ接続端子どうしを電気的に接続し、受信デバイス１８から伝送されたデータ信号のシリアル伝送を行う。
【００４１】
電源電圧調整装置４０は、電源電圧を調整して受信デバイス１８および信号処理装置１３に供給する。
【００４２】
信号処理装置１３は、演算装置、記憶装置、表示装置など受信デバイス１８が出力する信号の処理を行う装置である。信号処理装置１３は、ＣＭＯＳを搭載し、電源電圧に応じて、信号を受信するときの閾値が変化する。信号処理装置１３は、受信デバイス１８からＳＤＬ１５またはＳＤＬ１７を経由して送信されるデータ信号を受信して、閾値に基づいて２値化した信号を出力する。
【００４３】
本実施の形態において、与えられた信号の電圧レベルが伝送途中で減衰していても、信号処理装置１３は、ハイレベル信号を誤ることなく認識ができるように適切に閾値を設定することができ、誤作動が起きなくなる。また、信号処理装置１３において受信信号の閾値を直接変更するのではなく、供給される電圧を変更することによって間接的に閾値を変更するため、誤作動が起きない設定を容易に行うことができる。本実施形態においても、ケーブルが長くなるとクロック信号およびデータ信号の減衰が大きくなるため、ケーブルが長ければ長いほど効果が得られる。
【００４４】
なお、本発明の他の実施の形態として、受信装置がアナログ／デジタル変換手段を備えることによって、アナログ電圧から変換されたデジタルパルスについてもハイレベル信号を誤ることなく認識ができるように適切に閾値を設定することができる。
【図面の簡単な説明】
【００４５】
【図１】本発明の実施の一形態の受信装置を含むディスプレイ装置３０の電気的構成の一部を示すブロック図である。
【図２】電源電圧調整装置４０の具体的な回路構成の一例を示す図である。
【図３】本発明の実施の他の形態の受信装置５０の電気的構成の一部を示すブロック図である。
【符号の説明】
【００４６】
１  調整部
２  ＤＤＣデバイス
３  検出部
４  保持部
１０  送信装置
１３  信号処理装置
１８  受信デバイス
１９  抵抗
２０  コンデンサ
２１  レギュレータ
３０  ディスプレイ装置
４０  電源電圧調整装置
５０  受信装置
【図１】
2008263555.tif 000003
【図２】
2008263555.tif 000004
【図３】
2008263555.tif 000005